(57)【要約】【課題】インダクタを含むフィルタ回路を有し低レベルのＥＭＩ信号を放出する新しいモータへの要望がある。【解決手段】窓昇降機構のためのモータ組立体はモータ及びギヤボックスを有する。モータは、金属ハウジングを有する固定子と、整流子を備え、ハウジング内に回転可能に収容される回転子とを含む。端部キャップ組立体は、整流子と滑り接触する複数のブラシと、外部電源に接続する複数の接続部品と、ブラシと接続部品との間に電気接続されるインダクタと、インダクタを被覆し、ハウジングに電気的に接続される遮蔽層とを含む。【選択図】図２
2013233075.tif 000002
【特許請求の範囲】
【請求項１】
金属ハウジングを有する固定子と、
前記ハウジング内に回転可能に収容され、整流子を有する回転子と、
前記ハウジングに結合される端部キャップ組立体と、
を備えるモータであって、
前記端部キャップ組立体は、
前記整流子と滑り接触する複数のブラシと、
外部電源に接続する複数の接続部品と、
前記ブラシと前記接続部品の選択された１つとの間に電気接続されるインダクタと、
前記インダクタを被覆し、前記ハウジングに電気的に接続される遮蔽層と、
を備える、モータ。
【請求項２】
前記遮蔽層は金属製である、請求項１に記載のモータ。
【請求項３】
前記遮蔽層はスズ薄板である、請求項１に記載のモータ。
【請求項４】
前記インダクタは、２本のリード線を有する実質的に円筒形の主本体を備える、前記２本のリード線は、前記主本体のそれぞれの軸端から延び、前記遮蔽層は、前記インダクタの前記主本体を被覆する、請求項１から３のいずれかに記載のモータ。
【請求項５】
前記遮蔽層は、前記ハウジングに電気接続される接地端部を備える、請求項４に記載のモータ。
【請求項６】
前記端部キャップ組立体は、前記ハウジングに結合される中間部品を更に備え、前記接地端部は、前記ハウジングに前記中間部品を介して電気接続される、請求項５に記載のモータ。
【請求項７】
前記リード線の第１の端部は前記ブラシの１つに接続され、第２の端部は、前記接続部品に接続される、請求項４から６のいずれかに記載のモータ。
【請求項８】
前記接続部品にはスロットが形成され、前記インダクタの第２のリード線は前記スロットに圧入される、請求項７に記載のモータ。
【請求項９】
前記固定子は、前記ハウジングに収容される複数の磁石を備え、前記回転子は、前記磁石で取り囲まれる回転子鉄心と、前記回転子鉄心の回りに巻かれた複数のコイルとを備える、請求項１から８のいずれかに記載のモータ。
【請求項１０】
ケーシングと、
前記ケーシングに回転可能に収容されるウォームギヤと、
請求項１から９のいずれかで規定され、前記ケーシングに結合されるモータと、
を備え、前記軸には、前記ウォームギヤとかみ合うウォームが形成される窓昇降モータ組立体。
【発明の詳細な説明】
【技術分野】
【０００１】
本発明は、電気モータに関し、詳細には、低レベルの電磁妨害雑音（ＥＭＩ）を放出するモータに関する。
【背景技術】
【０００２】
通常、整流子及びブラシを有する電気モータは、電気的雑音又はＥＭＩを低減するためにブラシと外部電力との間に接続されたフィルタ回路を含む。通常、フィルタ回路はインダクタを有する。運転時、整流子はブラシに対して高速で回転し、整流子に接続された巻線の電流が急激に変化してＥＭＩ信号が発生する。この信号はインダクタと結合する。ＥＭＩ信号の周波数が高い場合、インダクタはアンテナとして機能して高周波の妨害信号を放出して、モータのＥＭＩ試験に適合しなくなる。
【発明の概要】
【発明が解決しようとする課題】
【０００３】
従って、インダクタを含むフィルタ回路を有し低レベルのＥＭＩ信号を放出する新しいモータへの要望がある。
【課題を解決するための手段】
【０００４】
従って、１つの態様において、本発明は、金属ハウジングを有する固定子と、ハウジング内に回転可能に収容され整流子を有する回転子と、ハウジングに結合される端部キャップ組立体とを備えるモータを提供し、端部キャップ組立体は、整流子と滑り接触する複数のブラシと、外部電源に接続する複数の接続部品と、ブラシと接続部品の選択された１つとの間に電気接続されるインダクタと、インダクタを被覆し、ハウジングに電気的に接続される遮蔽層とを備える。
【０００５】
好ましくは、遮蔽層は金属製である。
【０００６】
好ましくは、遮蔽層はスズ薄板である。
【０００７】
好ましくは、インダクタは２本のリード線を有する実質的に円筒形の主本体を備え、２本のリード線は主本体のそれぞれの軸端から延び、遮蔽層はインダクタの主本体を被覆する。
【０００８】
好ましくは、遮蔽層は、ハウジングに電気接続される接地端部を備える。
【０００９】
好ましくは、端部キャップ組立体は、ハウジングに結合される中間部品を備え、接地端部は、ハウジングに中間部品を介して電気接続される。
【００１０】
好ましくは、リード線の第１の端部は前記ブラシの１つに接続され、第２の端部は、接続部品に接続される。
【００１１】
好ましくは、接続部品にはスロットが形成され、インダクタの第２のリード線はスロットに圧入される。
【００１２】
好ましくは、固定子は、ハウジングに収容される複数の磁石を備え、回転子は、磁石で取り囲まれる回転子鉄心と、回転子鉄心の回りに巻かれた複数のコイルとを備える。
【００１３】
本発明は、前記で規定されるモータを組み込んだ窓昇降モータ組立体を提供し、モータはウォームギヤとかみ合うウォーム軸を有する。
【００１４】
以下に、添付図面を参照して本発明の好適な実施形態を例示的に説明する。図面において、２つ以上の図面に現れる同じ構造、要素、又は部品は、一般に全ての図面において同じ参照符号で表記する。図面中の構成要素及び特徴部の寸法は、概して便宜のため及び説明を明確にするために選択され、必ずしも縮尺通りに示されていない。
【図面の簡単な説明】
【００１５】
【図１】本発明の実施形態によるモータを有する窓昇降組立体を示す。
【図２】図１の窓昇降組立体の切断図である。
【図３】図１のモータの部分図であり、インダクタを被覆する遮蔽層を示す。
【図４】図３のインダクタを示す。
【図５Ａ】図３のモータが発生した１ＧＨｚと２ＧＨｚとの間のＥＭＩ信号の垂直成分のＥＭＩ試験結果を示す。
【図５Ｂ】試験モータから遮蔽層を除去した以外は図５Ａと同じである。
【図６Ａ】図３のモータが発生した１ＧＨｚと２ＧＨｚとの間のＥＭＩ信号の水平成分のＥＭＩ試験結果を示す。
【図６Ｂ】試験モータから遮蔽層を除去した以外は図６Ａと同じである。
【発明を実施するための形態】
【００１６】
図１から３は、窓昇降モータ組立体１１を使用する本発明の実施形態によるモータ１０を示す。組立体１１は、モータ１０が結合されたケーシング１３及び該ケーシング１３内に収容されたウォームギヤ１５を含む。ウォームギヤ１５は、モータ１０に係合して駆動され、トルクを発生するようになっている。窓昇降モータ組立体は、内部の部品を示すためにケーシングのカバーを取り外して示されている。
【００１７】
モータ１０は、回転子１２及び該回転子１２を収容する固定子２２を含む。回転子１２は、軸１４、該軸１４に取り付けられた回転子鉄心１６、回転子鉄心１６の回りに巻回された複数のコイル１８、及び軸１４に取り付けられた整流子２０を含む。軸１４は、軸上に形成されたウォームを介してウォームギヤ１５と係合する。固定子２２は、開口（表記せず）を有する実質的にカップ形状の金属ハウジング２４、ハウジング２４の内壁に取り付けられて回転子鉄心１６及びコイルを取り囲む複数の永久磁石２６、ハウジング２４の開口を閉じる端部キャップ組立体２８を含む。
【００１８】
端部キャップ組立体２８は、絶縁端部キャップ３０（図３に詳細に示す）、端部キャップ３０に取り付けられ整流子２０と滑り接触する複数のブラシ３２、端部キャップ３０に取り付けられ、外側に延びて外部電力と接続するようになった複数の導電接続部品３４、それぞれの接続部品３４とブラシ３２との間に接続される複数のインダクタ３６、及び複数の遮蔽層３８を含む。端部キャップは、好ましくは、ケーシング１３の一体部分として形成される。
【００１９】
図４を参照すると、各インダクタ３６は、実質的に円筒形の主本体４０、及び主本体４０のそれぞれの軸端から延びる２本のリード線４２を含む。２本のリード線４２は、それぞれ接続部品３４及びブラシ３２に電気接続する。遮蔽層３８は、インダクタ３６の主本体４０を被覆し、自由端で軸方向に延びる接地端部３９を含む。接地端部３９は、本実施形態のハウジング２４に取り付けられた導電中間部品４４を介して、ハウジング２４に電気接続される。接地端部３９は、中間部品に対して、例えば、溶接、中間部品の被覆部によって接続することができる。遮蔽層３８は、銅、アルミニウム、スズ等の金属で作ることができる。本実施形態において、遮蔽層３８は、安価でインダクタ３６の主本体４０の回りに巻くのが容易なスズ薄板である。
【００２０】
このようにして、作動時、インダクタ３６から放出されるＥＭＩ信号の大部分は、モータ１０のハウジング２４で遮蔽層３８によって吸収することができる。本実施形態において、図５Ａ及び５Ｂから分かるように、モータ１０からの１ＧＨｚと２ＧＨｚとの間の周波数を有するＥＭＩ信号の垂直成分は約６ｄＢだけ低減することができ、図６Ａ及び６Ｂを参照すると、モータ１０からの１ＧＨｚと２ＧＨｚとの間の周波数を有するＥＭＩ信号の水平方向成分は約７ｄＢだけ低減する。従って、モータ１０全体から発生するＥＭＩ信号が低減する。
【００２１】
好ましく、各接続部品３４はスロット３５を備える。インダクタ３６を接続部品３４に接続するために、インダクタ３６のリード線４２の一方はスロット３５に圧入され。
【００２２】
他の実施形態において、インダクタ３６がモータ１０のハウジング２４に隣接して配置される場合、接地端部３９は、直接、ハウジング２４に接続できることを理解されたい。この場合、中間部品４４は取り除くことができる。
【００２３】
端部キャップは、好適な実施形態に示すような窓昇降モータ組立体１１のケーシング１３に一体形成できることを理解されたい。もしくは、端部キャップは、別個に形成することができ、モータは、ケーシングに結合する前に完全に組み立てることができる。
【００２４】
本出願の説明及び請求項において、動詞「備える」、「含む」、「包含する」、「有する」、及びその変形体の各々は、包括的な意味で使用されるが、説明したアイテムの存在を明示するが追加アイテムの存在を排除しない。
【００２５】
本発明は、１つ又はそれ以上の好適な実施形態を参照して説明されるが、当業者であれば、種々の変形例が可能であることを理解できるはずである。従って、本発明の範囲は、請求項を参照して決定することになる。
【符号の説明】
【００２６】
１１  窓昇降モータ組立体
１２  回転子
１３  ケーシング
１４  軸
１５  ウォームギヤ
１６  回転子鉄心
１８  コイル
２２  固定子
２８  端部キャップ組立体
３０  端部キャップ
３２  ブラシ
【図１】
2013233075.tif 000003
【図２】
2013233075.tif 000004
【図３】
2013233075.tif 000005
【図４】
2013233075.tif 000006
【図５Ａ】
2013233075.tif 000007
【図５Ｂ】
2013233075.tif 000008
【図６Ａ】
2013233075.tif 000009
【図６Ｂ】
2013233075.tif 000010
【外国語明細書】
2013233075000001.pdf